(57)【要約】【課題】少ない部品点数で小型化を図り、低コストを実現するとともに、磁気テープに最適なテンションを付加できるテープテンション調整機構を提供する。【解決手段】磁気テープを巻付けてテープ走行させるポスト１３を備え磁気記録装置のシャーシ３に回動自在に軸支されたテンションアーム１１と、一端５ａがテンションアーム１１に係止され他端５ｂがシャーシ３に係止されるとともにリール台４に巻付けられるブレーキ付加部材５と、テンションアーム１１に係合されてブレーキ付加部材５がリール台４に圧接する方向にブレーキ付加部材５の一端５ａを付勢するテンションアーム付勢手段とを備えた磁気記録再生装置のテープテンション調整機構において、テンションアーム付勢手段は、シャーシ側面側で設定位置の調整を可能に構成するものとする。【選択図】      図１
2004178707.tif 000002
【特許請求の範囲】
【請求項１】
磁気テープを巻付けてテープ走行させるポストを備え磁気記録装置の一部を構成するシャーシに回動自在に軸支されたテンションアームと、一端が前記テンションアームに係止され他端が前記シャーシに係止されるとともに本体部がリール台に巻付けられるブレーキ付加部材と、前記テンションアームに係合されて前記ブレーキ付加部材が前記リール台に圧接する方向に前記ブレーキ付加部材の一端を付勢するテンションアーム付勢手段とを備えた磁気記録再生装置のテープテンション調整機構において、
前記テンションアーム付勢手段は、シャーシ側面側で設定位置の調整を可能に構成されたことを特徴とする磁気記録再生装置のテープテンション調整機構。
【請求項２】
前記テンションアーム付勢手段は、ばね部材としたことを特徴とする請求項１に記載の磁気記録再生装置のテープテンション調整機構。
【請求項３】
前記シャーシ側面に、前記テンションアーム付勢手段の設定位置の調整を行う付勢力調整部材を設けたことを特徴とする請求項１または２に記載の磁気記録再生装置のテープテンション調整機構。
【請求項４】
前記付勢力調整部材は、前記シャーシ側面に沿って移動可能設けたことを特徴とする請求項３に記載の磁気記録再生装置のテープテンション調整機構。
【発明の詳細な説明】
【０００１】
【発明の属する技術分野】
本発明は、ＶＴＲ等の磁気記録再生装置に用いられ、磁気テープのテンションを一定に保つように自動制御する為のテープテンション調整機構に関するものである。
【０００２】
【従来の技術】
一般にＶＴＲ等の磁気記録再生装置においては、磁気テープを安定して走行させる為に、磁気テープが適度なテンションを与えられた状態で走行させることが必要であり、またテンションはできるだけ一定に保持されることが必要である。
特にＶＴＲ等においては、信号の記録再生時にヘッドドラムの外周面に対して磁気テープが安定的に密着して巻付けられて走行する事が重要な条件とされている。したがって、テープテンションが適度でない場合、あるいは大きく変動する等の場合は、前述のヘッドドラムへの磁気テープの巻付け状態が不安定となり、信号の記録再生が正確に行われなくなる。
【０００３】
その為、従来のＶＴＲ等の磁気記録再生装置においては、テープテンションをほぼ一定に保持するようにテンションを自動制御する為のテープテンション調整機構が設けられている。
【０００４】
以下に、従来のテープテンション調整機構の構成について、図面を参照して説明する。図４は従来のテープテンション調整機構の構成を示す一例である。
従来のテープテンション調整機構１００は、例えば、図４に示すように、シャーシ３の支点軸１１２回りに回転自在に取り付けられ、磁気テープ１を巻付け走行させるポスト１１３を有するテンションアーム１１１と、本体部がリール台４に所定角度巻付けられ、一端５ａが係合部材６を介して前記テンションアーム１１１に回転自在に取り付けられ、他端５ｂが係合部材７を介して前記シャーシ３に設けられた位置調整部材８に回動自在に取り付けられるブレーキ付加部材５と、前記テンションアーム１１１に回転トルクを加える付勢手段としての引張りばね１１４とを備えて構成されている。
【０００５】
前記位置調整部材８は、一端部に設けられた支点軸８ａによりシャーシ３に対して回動自在に軸支されてブレーキ付加部材５の他端５ｂの取付け位置が調整可能に設けられるとともに、所望の位置で固定ビス９によりシャーシ３に固定され、他端部に設けられた支持ピン１０により前記ブレーキ付加部材５の他端５ｂに設けられた係合部材７が回動自在に係合されている。
【０００６】
前記テンションアーム１１１は、略逆Ｌ字形状を呈し、その一辺端部が支点軸１１２によりシャーシ３に沿って回動自在に軸支され、他辺端部に磁気テープ１が巻付けられるポスト１１３が設けられ、前記支点軸１１２とポスト１１３との間の略中間位置に引張りばね１１４の一端１１４ａが係合されてシャーシ側面３ａ側に向かい付勢されている。
【０００７】
前記引張りばね１１４は、他端１１４ｂが前記テンションアーム１１１よりもシャーシ側面３ａ寄りでシャーシ３に沿って回動自在に取り付けられたばね調整部材１５の一端１５ａに係合されている。
【０００８】
前記ばね調整部材１５は、シャーシ３と略平行に配設されており、他端１５ｂが調整ビス１７と当接されて、前記一端１５ａと他端１５ｂとの間の略中央部に固定ビス１６が螺合され、該固定ビス１６を支点として回動可能に配設されるとともに、該固定ビス１６を締め込むことで該ばね調整部材１５が固定されるように構成されている。
【０００９】
前記調整ビス１７は、シャーシ側面３ａに外側から内側に向かい突設可能に螺着されており、該調整ビス１７を締め込むことで前記ばね調整部材１５の他端１５ｂと当接して、前記ばね調整部材１５を前記引張りばね１１４のばね力に抗して、固定ビス１６を支点として回動させて引張りばね１４の位置調整を行うようにされている。
前記ばね調整部材１５は、前記調整ビス１７により所望の位置に調整された後に固定ビス１６を締め込んでシャーシ３に固定される。
【００１０】
ここで、テンションアーム１１１による磁気テープ１のテンション調整について説明する。
まず、前記テンションアーム１１１のポスト１１３の位置、すなわちポスト１１３への磁気テープ１の巻付け量は、図４に示すように、位置調整部材８をシャーシ３に対して矢印Ｂ方向に沿って位置調整することで決定される。
そして、磁気テープ１が矢印Ａ方向に向かい走行する時のテンションは、テンションアーム１１１に回転トルクを加える引張りばね１１４の荷重を調整ビス１７により調整することで決定される。
【００１１】
以上のように構成されているので、従来のテープテンション調整機構では、磁気テープ１の走行時において、磁気テープ１にテンション変動が生じると、テンションアーム１１１はポスト１１３を介して支点軸１１２回りに回動する。これに伴い、ブレーキ付加部材５によるリール台４へのブレーキ力も変動し、磁気テープ１のテンションにフィードバックされ、磁気テープ１のテンションは一定に保たれるように自動制御される。
【００１２】
その他のテープテンション調整機構の例として、テンションアームへの回転トルク付勢手段（例えば、引張りばね）の一端をテンションアームに掛け、他端をローディング、アンローディングで移動可能な部材に掛ける事で、ローディング、アンローディングでの引張りばね長さの変化量を小さくし、テンションアームの回転トルク変化を小さくする事を特徴として構成されたものが知られている（特許文献１を参照）。
【００１３】
また、リール台をシャーシに対して移動可能とすることで、リール間距離の異なる異種のカセットを装着可能にした磁気記録再生装置におけるテープテンション調整機構において、リール台をシャーシに対して移動させた時のリール台へのブレーキ付加部材の張り、すなわちテンションポストの位置を調整可能にする事で、リール台移動時にかかるテープテンションを一定値以下に押さえる様に構成されたものも知られている（特許文献２を参照）。
【００１４】
【特許文献１】
特開平５−６６００号公報（第３−８頁、第７図）
【特許文献２】
特開平５−１２７６３号公報（第４−１０頁、第８図）
【００１５】
【発明が解決しようとする課題】
しかしながら、上述したような従来のテープテンション調整機構において、磁気テープ１が矢印Ａ方向に走行する時のテンションは、テンションアーム１１１に回転トルクを加える引張りばね１１４の荷重を調整することで決定されるが、通常この調整作業は磁気テープ１を磁気記録再生装置で走行させた状態で行われるため、ばね調整機構は磁気テープ１の妨げとならない様に設けねばならない。
【００１６】
したがって、従来例では、図４に示すように、テンションアーム１１１と、シャーシ３上に回転自在に構成されたばね調整部材１５の間に引張りばね１１４を掛け、引張りばね１１４によって時計回り方向に付勢されたばね調整部材１５を、シャーシ３の側面に取り付けられた調整ビス１７で調整し、その調整後、ばね調整部材１５を固定ビス１６で固定することで磁気テープ１に所定のテンションを与えている。
【００１７】
しかしながら、前記ばね調整部材１５の調整／固定手段は磁気テープ１の妨げにならないように設けなければならず、また、ある程度の取付けスペースを要するために、テープテンション調整機構の小型化の面で不利となっていた。
【００１８】
また、その他の従来例として、図５、図６に示すように、シャーシ側面３ａに数箇所のばね掛け部３ｄ１、３ｄ２、３ｄ３を設け、前記ばね掛け部３ｄ１、３ｄ２、３ｄ３の何れか１つのばね掛け部とテンションアーム１１１との間に引張りばね１１４を掛けて、磁気テープ１のテンションをシャーシ３側の引張りばね１１４の掛け位置を変えることで調整するテープテンション調整機構が考えられる。
【００１９】
このような構成では、小型化を図る上では有利な構成であるが、テンション調整値の変化量が段階的となり、テンション最適値への連続的な調整が不可能となるという問題があった。
【００２０】
また、特許文献１または特許文献２に開示されたテープテンション調整機構のような構成では、テープ走行時、すなわちローディング時のテンションアームへの回転トルク調整ができる構成ではなく、従って、最近の長時間記録化に伴う、薄手テープ等への最適なテンションの調整ができないという問題があった。
【００２１】
本発明は、上記従来の問題点に鑑みてなされたものであり、少ない部品点数で小型化を図り、低コストを実現するとともに、磁気テープに最適なテンションを付加できるテープテンション調整機構を提供することを目的とするものである。
【００２２】
【課題を解決するための手段】
本発明は、磁気記録再生装置のテープテンション調整機構に係り、磁気テープを巻付けてテープ走行させるポストを備え磁気記録装置の一部を構成するシャーシに回動自在に軸支されたテンションアームと、一端が前記テンションアームに係止され他端が前記シャーシに係止されるとともに、本体部がカセットテープ等のテープリールが係合されるリール台に巻付けられるブレーキ付加部材と、前記テンションアームに係合されて前記ブレーキ付加部材が前記リール台に圧接する方向に前記ブレーキ付加部材の一端を付勢するテンションアーム付勢手段とを備えた磁気記録再生装置のテープテンション調整機構において、前記テンションアーム付勢手段を、シャーシ側面側で設定位置の調整を可能に構成したことを特徴とするものである。
【００２３】
このように構成することで、テンションアーム付勢手段の設置位置を調整することで、テンションアームを介して作用するブレーキ付加部材とリール台との間に生じる摩擦力を容易に調整することができる。しかも、前記テンションアーム付勢手段を側面側より調整可能に構成することで、省スペースで小型化を図ったテープテンション調整機構を実現できる。
【００２４】
また、本発明は、前記テンションアーム付勢手段を、ばね部材により構成することが好ましい。
このように構成することで、簡単な部品構成でテンションアームを作用させることができる。
【００２５】
また、本発明は、前記シャーシ側面に、前記テンションアーム付勢手段の設定位置の調整を行う付勢力調整部材を設けることが好ましい。
このように構成することで、付勢力調整部材に係合されたテンション付勢手段を容易に変位させることができる。例えば、テンションアーム付勢手段として引張りばねを採用した場合に、そのばね定数により引張りばねの変位量に応じた付勢力を容易に設定することができる。
【００２６】
また、本発明は、前記付勢力調整部材を、前記シャーシ側面に沿って移動可能に設けることが好ましい。
このように構成することで、シャーシ内部に配設されるテープテンション調整機構の構成部品と干渉することなく省スペースに構成でき、テープテンション調整機構の小型化を図るとともに、テープテンション調整の作業性／操作性を良好にできる。
【００２７】
【発明の実施の形態】
以下、本発明の実施の形態について図面を参照して詳細に説明する。
図１〜図３は本発明を実施する形態の一例であって、図１は本発明に係る実施形態の磁気記録再生装置のテープテンション調整機構の構成を示す説明図、図２は前記テープテンション調整機構のテンションアーム付勢手段の構成を示す側面図、図３は図２のＣ−Ｃ断面矢視図である。
尚、本実施形態に係るテープテンション調整機構の構成において、従来例と同様の構成部分は、同一の符号を付することで説明を省略する。
【００２８】
本実施形態は、図１に示すように、磁気テープ１を巻付けてテープ走行させるポスト１３を備え磁気記録装置（図示省略）の一部を構成するシャーシ３に回動自在に軸支されたテンションアーム１１と、本体部がテープリール（図示省略）が係合されるリール台４に所定角度巻付けられ、一端５ａが係合部材６を介して前記テンションアーム１１に回動自在に取り付けられ、他端５ｂが係合部材７を介して前記シャーシ３に設けられた位置調整部材８を介して位置調整可能に回動自在に取り付けられるブレーキ付加部材５と、前記テンションアーム１１に係合されて前記ブレーキ付加部材５の一端５ａを該ブレーキ付加部材５がリール台４に圧接する方向に付勢するテンションアーム付勢手段としての引張りばね１４とを備えた磁気記録再生装置（全体図は省略）のテープテンション調整機構１Ａである。
【００２９】
前記テンションアーム１１は、略逆Ｌ字形状を呈し、その屈曲部付近に支点軸１２が設けられ、該支点軸１２によりシャーシ３に沿って回動自在に軸支されている。また、前記テンションアーム１１は、逆Ｌ字形状の一辺がシャーシ側面３ａに向かい（図中で略水平方向に）延設されてその端部に引張りばね１４の一端１４ａが係合されるばね係止部１１ａが設けられ、他辺が前記一辺に対し略垂直（図中で上方）に形成され、その端部に磁気テープ１が巻付けられるポスト１３が立設されている。
【００３０】
前記引張りばね１４は、シャーシ側面３ａに対して略平行に該シャーシ側面３ａ内側に沿って配設され、一端１４ａが前記テンションアーム１１のばね係止部１１ａに係止されるとともに、他端１４ｂがばね調整部材２０に係合されている。
【００３１】
前記ばね調整部材２０は、図２、図３に示すように、一端側（図中で上端側）には前記引張りばね１４の他端１４ｂが係止される係止部２０ａが突設されるとともに、シャーシ側面３ａの外側より取り付けられる固定ビス２１が螺合される係合部２０ｃが形成され、他端側（図中で下端側）には幅方向両側に突出してシャーシ側面３ａに当接する係合部２０ｂが形成されている。
【００３２】
前記シャーシ側面３ａには、図２に示すように、前記ばね調整部材２０に対応して、前記係合部２０ｂが貫通可能で且つ該係合部２０ｂをガイドするための略矩形状を呈する案内孔３ｂと、前記固定ビス２１の頭部が貫通可能で且つ該固定ビス２１をガイドするガイド部が長孔状でかつ所謂だるま状の案内孔３ｃとが開口形成されている。
【００３３】
前記ばね調整部材２０は、シャーシ側面３ａの内側で前記案内孔３ｂ、３ｃに沿ってシャーシ側面３ａの板厚内で矢印Ｙ方向（図中で上下方向）に移動可能に配設されるとともに、所定位置でシャーシ側面３ａの外側から螺合される固定ビス２１と係合部２０ｂとによりシャーシ側面３ａの一部を挟持することでシャーシ側面３ａの内側に位置決め固定される。
【００３４】
次に、本実施形態のテープテンション調整機構による作用について図面を参照して説明する。
テープテンション調整機構１Ａによる磁気テープ１のテンション調整は、ブレーキ付加部材５が連結される位置調整部材８の取付け位置と、該ブレーキ付加部材５と引張りばね１４とが取り付けられて磁気テープ１のテンションが掛かるテンションアーム１１のセット位置と、前記引張りばね１４の張力を調整することで行われる。
【００３５】
前記テンションアーム１１は、引張りばね１４により反時計回り方向に付勢されており、その回転トルクによりブレーキ付加部材５とリール台４との間に摩擦力を生じさせている。この摩擦力により磁気テープ１の走行時に掛かるテンションが最適になるように調整されている。
【００３６】
テープテンション調整機構１Ａに磁気テープ１の走行により矢印Ａ方向にテンションが掛かると、図１に示すように、テンションアーム１１には支点軸１２を中心に時計回り方向への回転トルクが生じる。
【００３７】
磁気テープ１に大きなテンションが掛かると、前記テンションアーム１１は、引張りばね１４のばね力を抗して時計回り方向に回動する。するとテンションアーム１１に係合されたブレーキ付加部材５の一端５ａがリール台４に近づき、ブレーキ付加部材５のリール台４への巻付きを弛める方向に移動するため、ブレーキ付加部材５によるリール台４へのブレーキ力が弱まる。
これにより、磁気テープ１に掛かるテンションが弱まり、該磁気テープ１へのテンションの負荷が低減されて安定したテープ走行が行われる。
【００３８】
一方、磁気テープ１のテンションが小さくなると、テンションアーム１１は、引張りばね１４のばね力により反時計回り方向に回動し、テンションアーム１１に係合されたブレーキ付加部材５の一端５ａがリール台４から離れて、ブレーキ付加部材５のリール台４への巻付きを締付ける方向に移動するため、ブレーキ付加部材５によるリール台４へのブレーキ力が強まる。
これにより、磁気テープ１に掛かるテンションが強くなる方向に働くため、該磁気テープ１が弛み過ぎることなくテンションが復元して安定したテープ走行が行われる。
【００３９】
以上のように構成したので、本実施形態のテープテンション調整機構１Ａによれば、磁気テープ１の走行時に発生するテンション状態に応じてテンションアーム１１を動作させることにより、リール台４の回転力を制御して最適なテンションで磁気テープ１の走行を行うことができる。
【００４０】
また、本実施形態によれば、ばね調整部材２０をシャーシ側面３ａの内側に設けて、該シャーシ側面３ａの外側から調整するようにしたので、シャーシ内部に配設されるテープテンション調整機構１Ａの構成部品と干渉することなく省スペースに構成でき、テープテンション調整機構１Ａの小型化を図るとともに、磁気テープ１の走行状態であっても磁気テープ１の走行の妨げとならずに引張りばね１４によるばね力の調整を行うことができるので、テープテンション調整の作業性／操作性を良好にできる。しかも、シャーシ側面３ａより外側に操作部を不要に突設することがないので、外観に優れたテープテンション調整機構を実現できる。
【００４１】
また、本実施形態によれば、引張りばね１４をシャーシ側面３ａに対して略平行で且つ該シャーシ側面３ａ内側に沿って配設したので、シャーシ３内部に配設されるテープテンション調整機構１Ａの構成部品と干渉することなく省スペースに構成でき、テープテンション調整機構の小型化を図ることができる。
【００４２】
また、本実施形態によれば、シャーシ側面３ａにばね調整部材２０をガイドするための案内孔３ｂと、該ばね調整部材２０を位置決め固定する固定ビス２１の頭部が貫通可能で且つ該固定ビス２１をガイドする案内孔３ｃとを開口形成したので、ばね調整部材２０を組立てる際に容易に取り付けることができ、しかも少ない部品点数で引張りばね１４のばね力の調整を任意の位置で行え、容易に位置決め固定することができる。
【００４３】
【発明の効果】
以上、説明したように、本発明の磁気記録再生装置のテープテンション調整機構によれば、少ない部品点数で小型化を図り、低コストを実現するとともに、簡単な操作で磁気テープに最適なテンションを付加できるという優れた効果を奏し得る。
詳しくは、本発明によれば、テンションアームに係合されたブレーキ付加部材をリール台に巻き付けて、テンションアームを付勢するばね部材やゴムなどの弾性部材等のテンションアーム付勢手段によりブレーキ力を調整して磁気テープのテンションを調整する磁気記録再生装置のテープテンション調整機構において、前記テンションアーム付勢手段をシャーシ側面側で設定位置の調整を可能に構成することで、テンションアーム付勢手段の設置位置を調整して、テンションアームを介して作用するブレーキ付加部材とリール台との間に生じる摩擦力を容易に調整することができる。しかも、前記テンションアーム付勢手段を側面側より調整可能に構成することで、省スペースで小型化を図ったテープテンション調整機構を実現できる。
【００４４】
また、本発明によれば、前記テンションアーム付勢手段をばね部材により構成することで、簡単な部品構成でテンションアームを作用させることができる。
また、本発明によれば、シャーシ側面にテンションアーム付勢手段の設定位置の調整を行う付勢力調整部材を設けることで、付勢力調整部材に係合されたテンション付勢手段を容易に変位させることができる。
【００４５】
また、本発明によれば、前記付勢力調整部材をシャーシ側面に沿って移動可能に設けることで、シャーシ内部に配設されるテープテンション調整機構の構成部品と干渉することなく省スペースに構成でき、テープテンション調整機構の小型化を図るとともに、テープテンション調整の作業性／操作性を良好できる、という著しい効果を奏し得る。
【図面の簡単な説明】
【図１】本発明に係る実施形態の磁気記録再生装置のテープテンション調整機構の構成を示す説明図である。
【図２】前記テープテンション調整機構のテンションアーム付勢手段の構成を示す側面図である。
【図３】図２のＣ−Ｃ断面矢視図である。
【図４】従来のテープテンション調整機構の一実施形態の構成を示す説明図である。
【図５】従来のテープテンション調整機構のその他の例を示す説明図である。
【図６】従来のテープテンション調整機構のばね力を調整する部位の構成を示す部分詳細図である。
【符号の説明】
１Ａ  テープテンション調整機構
１  磁気テープ
３  シャーシ
３ａ  シャーシ側面
３ｂ、３ｃ  案内孔
４  リール台
５  ブレーキ付加部材
８  位置調整部材
１１  テンションアーム
１１ａ  ばね係止部
１２  支点軸
１３  ポスト
１４  引張りばね
１４ａ  一端
１４ｂ  他端
１５  ばね調整部材
１５ａ  一端
１５ｂ  他端
２０  ばね調整部材
２０ａ  係止部
２０ｂ、２０ｃ  係合部
２１  固定ビス
【図１】
2004178707.tif 000003
【図２】
2004178707.tif 000004
【図３】
2004178707.tif 000005
【図４】
2004178707.tif 000006
【図５】
2004178707.tif 000007
【図６】
2004178707.tif 000008